(57)【要約】【課題】プレストレス導入用緊張材の支持などを目的として鉄筋を組み立てる際に使用される鉄筋固定具であって、使い勝手が良く、また所要のかぶり寸法を確保できるものを提供する。【解決手段】本発明にかかる鉄筋固定具は、挟持片（１）と締着具（２）を備える。該挟持片は一対で各挟持面（１１）の対応する一端に第一鉄筋（Ｔ１）に抱接する第一湾曲部（１２）を備え、該各挟持面の対応する位置に、該第一湾曲部の第一軸線（Ｘ１）と交わる第二軸線（Ｘ２）上に第二鉄筋（Ｔ２）に抱接する第二湾曲部（１３）を備えかつ両湾曲部と干渉しない位置に挿通孔（１４）が穿たれている。該締着具は、各挟持片の該第一及び第二湾曲部をそれぞれ該第一及び第二鉄筋に抱接させた状態で該挿通孔に挿通されるもので、その締結により該第一及び第二鉄筋同志が固定されるようになっている。【選択図】　　　　図１
2004019328.tif 000002
【特許請求の範囲】
【請求項１】
挟持片（１）と締着具（２）を備え、
該挟持片（１）は一対で各挟持面（１１）の対応する一端に第一鉄筋（Ｔ１）に抱接する第一湾曲部（１２）を備え、該各挟持面（１１）の対応する位置に、該第一湾曲部（１２）の第一軸線（Ｘ１）と交わる第二軸線（Ｘ２）上に第二鉄筋（Ｔ２）に抱接する第二湾曲部（１３）を備えかつ両湾曲部（１２，１３）と干渉しない位置に挿通孔（１４）が穿たれ、
該締着具（２）は、各挟持片（１）の該第一及び第二湾曲部（１２，１３）をそれぞれ該第一及び第二鉄筋（Ｔ１，　Ｔ２）に抱接させた状態で該挿通孔（１４）に挿通されるもので、その締結により該第一及び第二鉄筋（Ｔ１，　Ｔ２）同志が固定されるようになっていることを特徴とする鉄筋固定具。
【請求項２】
該第一鉄筋（Ｔ１）の外周の一部は、該挟持片（１）の一対による締結状態で双方の外端縁（１５）を含む同一平面（１６）から突出している請求項１に記載の鉄筋固定具。
【請求項３】
該第一鉄筋（Ｔ１）の外周の一部は、該挟持片（１）の一対による締結状態で双方の端面（１７）を含む同一平面（１８）から突出している請求項１に記載の鉄筋固定具。
【請求項４】
該第二湾曲部（１３）の第二軸線（Ｘ２）は該第一湾曲部（１２）の該第一軸線（Ｘ１）と直交している請求項１、２又は３に記載の鉄筋固定具。
【請求項５】
該第二湾曲部（１３）はその内端で該第一湾曲部（１２）に到達しており、該第二鉄筋（Ｔ２）が該第一鉄筋（Ｔ１）の側面に突き合わせ状態で固定される請求項１、２、３又は４に記載の鉄筋固定具。
【請求項６】
該締着具（２）はボルト（２１）で、一対の該挟持片（１）の少なくとも一方の該挿通孔（１４）には該ボルト（２１）が螺合するネジ（１９）が切られている請求項１から５の一つの項に記載の鉄筋固定具。
【請求項７】
該挟持面（１１）は、該第一湾曲部（１２）、該第二湾曲部（１３）及び該挿通孔（１４）が形成されていない部分に突起（２２）を有している請求項１から６の一つの項に記載の鉄筋固定具。
【請求項８】
該突起（２２）は一対の該挟持片（１）の一方にだけ形成されている請求項７に記載の鉄筋固定具。
【発明の詳細な説明】
【０００１】
【発明の属する技術分野】
本発明は、プレストレス導入用緊張材の支持などを目的として鉄筋を組み立てる際に使用する、鉄筋固定具に関するものである。
【０００２】
【従来の技術】
橋桁のプレストレス導入用緊張材などのように鉄筋に結束できない線材や管材を鉄筋コンクリート構造物に埋没する必要がある場合、鉄筋篭の適所に線材や管材の垂れ下がりを防ぐための支持用の鉄筋を配置する方法が広く採用されている。すなわち、地面から垂直に立設された鉄筋（配筋）に、支持用の鉄筋（棚受筋）を水平に固定する方法である。この際、配筋を棚受筋に固定させるために、直角に折り曲げた棚受筋の端部（折曲端部）を配筋に密接させ、端部と配筋の外周に抱着する鉄筋固定具を使用して固定する方法が広く採用されている。
【０００３】
図５に、従来の鉄筋固定具を示す。この鉄筋固定具３０は、両端を折曲されたＵ字型の板材３１と、板材３１の両折曲部３１ａ、３１ｂを貫通するボルト３２とから構成されている。ボルト３２の頭部３２ａは拡径され板材３１との係合部をなし、端部側に螺合されたナットと協働して両折曲部３１ａ、３１ｂの間隔を調整できるようになっている。そして、板材３１が配筋３３と棚受筋の折曲端部３４に抱接し、それらを固定するようになっている。
【０００４】
【発明が解決しようとする課題】
しかし、上記従来の鉄筋固定具によれば、棚受筋が架設される配筋どうしの間隔に対し棚受筋が長い場合などに棚受筋の長さを調整するためには、棚受筋の折曲端部を一旦直線上に戻して切断した後、再度折曲げなければならず、戻すときに折損し易く、その上時間と労力を必要とした。更に、棚受筋を配置する場所の上下方向の調整幅は、折曲端部に制限される問題があった。すなわち、棚受筋の折曲端部を最外側の配筋の外方へ突出させると、所要のコンクリートのかぶり寸法が確保できないからである。そのため、折曲端部の外端は最外側の配筋位置を越えることができず、線材や管材の位置取りの余裕が少なく、長さ調整、位置調整などの面で使用勝手が悪く施工効率の低減につながるおそれがあった。
【０００５】
一方、上記従来の鉄筋固定具３０を構造物のプレストレス導入用緊張材の支持用に使用した場合、棚受筋の端部から水平部が延出する方向、すなわち両折曲部３１ａ、３１ｂが起立されている方向が構造物の内部側になる。そして、配筋及び棚受筋の外周面から構造物の外表面までに所定の間隔（かぶり寸法）が確保されるようにコンクリートが打設されるが、板材３１の中央部が配筋及び棚受筋の外側を巻くようになるので、板材３１の厚さだけかぶり寸法が小さくなってしまう問題があった。なお、かぶりは、鉄筋を雨水から遮断して鉄筋の腐食を防止するためのもので、厳格に確保することが安全上好ましい。
【０００６】
そこで本発明は、使い勝手が良く、また所要のかぶり寸法を確保できる鉄筋固定具を提供することを目的とする。
【０００７】
【課題を解決するための手段】
本発明に鉄筋固定具は、挟持片と締着具を備え、該挟持片は一対で各挟持面の対応する一端に第一鉄筋に抱接する第一湾曲部を備え、該各挟持面の対応する位置に、該第一湾曲部の第一軸線と交わる第二軸線上に第二鉄筋に抱接する第二湾曲部を備え、かつ両湾曲部と干渉しない位置に挿通孔が穿たれ、該締着具は、各挟持片の該第一及び第二湾曲部をそれぞれ該第一及び第二鉄筋に抱接させた状態で該挿通孔に挿通されるもので、その締結により該第一及び第二鉄筋同志が固定されるようになっていることを特徴とする。
【０００８】
この鉄筋固定具によれば、第一湾曲部を第一鉄筋の所定部位に配置し、第二鉄筋の端部を第二湾曲部内に配置し、締着具により挟持片の間隔を調整することで、第二鉄筋を第一鉄筋の所定部位に固定することができる。この際、第一鉄筋及び第二鉄筋は、第一湾曲部及び第二湾曲部に各別に抱接されるので、第一鉄筋及び第二鉄筋の配置される方向（各軸線の向き）が異なっていても、第二鉄筋の端部を第一鉄筋の延長方向と平行になるまで大きく折曲する必要がない。そのため、第一鉄筋と第二鉄筋の相対位置の調整や、各々の長さ調節を容易に行うことができ、施工効率を向上させることができる。
【０００９】
該第一鉄筋の外周の一部は、該挟持片の一対による締結状態で双方の外端縁を含む同一平面から突出していてもよく、或いは、該挟持片の一対による締結状態で双方の端面を含む同一平面から突出していてもよい。
この場合、挟持片の双方の外端縁或いは端面を含む同一平面から突出した第一鉄筋の外周の一部を、この鉄筋固定具が使用される構造物の外表面側に向けて配置することにより、挟持片の一部が第一鉄筋よりも構造物の外表面に近接した状態になることを防止し、厳密なかぶり寸法を確保できる。
【００１０】
該第二湾曲部の第二軸線は該第一湾曲部の該第一軸線と直交していてもよい。この場合、第二鉄筋として端部に曲がりのない直線状の部材を使用して第一鉄筋と第二鉄筋を直交させることができる。そのため、第一鉄筋と第二鉄筋の相対位置の調整や、各々の長さ調節を更に容易に行うことができる。
【００１１】
該第二湾曲部はその内端で該第一湾曲部に到達しており、該第二鉄筋が該第一鉄筋の側面に突き合わせ状態で固定されるようになっていてもよい。
この場合、第二鉄筋の端部にかかる力は、挟持片と第二鉄筋の端面とで支持されることになるので、第二鉄筋の端部を第一鉄筋から離して挟持する場合と比較して、挟持片にかかる負担を低減することができる。そして、挟持片の破損を防止できる。
【００１２】
該締着具はボルトで、一対の該挟持片の少なくとも一方の該挿通孔には該ボルトが螺合するネジが切られていてもよい。
この場合、締着具を挟持片に対して回動させることで挟持片の間隔を容易に調整でき、またボルトと協働するナットを不要として部品点数を減らすことができる。
【００１３】
該挟持面は、該第一湾曲部、該第二湾曲部及び該挿通孔が形成されていない部分に突起を有していてもよい。
この場合、挟持片同志を、対向する挟持片の挟持面又は突起に他方の突起が圧接するまで締結させ、突起を支点として挟持片を撓ませることにより、その反力を利用して第一及び第二鉄筋を締め付ける力を高めることができる。
【００１４】
該突起は一対の該挟持片の一方にだけ形成されていてもよい。
この場合、両挟持片の挟持面に形成された双方の突起を突き合わせるよりも、挟持片の間隔を狭めることができるので、第一及び第二鉄筋を締め付ける力をより高めることができる。
【００１５】
【発明実施の形態】
図１は本発明に係る鉄筋固定具の具体例を示す斜面図、図２は図１におけるＡ−Ａ矢視線に沿った断面図、図３は図１におけるＢ−Ｂ矢視線に沿った断面図である。
この鉄筋固定具は、挟持片１と締着具２を備えている。挟持片１は一対で各挟持面１１の対応する一端に第一鉄筋Ｔ１に抱接する第一湾曲部１２を備えている。また、各挟持面１１の対応する位置に、第一湾曲部１２の第一軸線Ｘ１と交わる第二軸線Ｘ２上に第二鉄筋Ｔ２に抱接する第二湾曲部１３を備えかつ両湾曲部１２、１３と干渉しない位置に挿通孔１４が穿たれている。
締着具２は、挟持片１の各々の第一及び第二湾曲部１２、１３をそれぞれ第一及び第二鉄筋Ｔ１、Ｔ２に抱接させた状態で挿通孔１４に挿通され、その締結により第一及び第二鉄筋Ｔ１、Ｔ２同志が固定されるようになっている。
【００１６】
この鉄筋固定具によれば、第一湾曲部１２を第一鉄筋Ｔ１の所定部位に配置し、第二鉄筋Ｔ２の端部を第二湾曲部１３内に配置し、締着具２により挟持片１の間隔を調整することで、第二鉄筋Ｔ２を第一鉄筋Ｔ１の所定部位に固定することができる。この際、第一鉄筋Ｔ１及び第二鉄筋Ｔ２は、第一湾曲部１２及び第二湾曲部１３に各別に抱接されるので、第一鉄筋Ｔ１及び第二鉄筋Ｔ２の配置される方向が異なっていても、第二鉄筋Ｔ２の端部を第一鉄筋Ｔ１の延長方向と平行になるまで大きく折曲する必要がない。そのため、第一鉄筋Ｔ１と第二鉄筋Ｔ２の相対位置の調整や、各々の長さ調節を容易に行うことができ、施工効率を向上させることができる。
【００１７】
第一鉄筋Ｔ１の外周の一部は、挟持片１の一対による締結状態で双方の端面１７を含む同一平面１８から突出している。
こうすると、挟持片１の双方の端面１７を含む同一平面１８から突出した第一鉄筋Ｔ１の外周の一部を、この鉄筋固定具が使用される構造物の外表面側に向けて配置することにより、挟持片１の一部が第一鉄筋Ｔ１よりも構造物の外表面に近接した状態になることを防止し、厳密なかぶり寸法を確保できる。
【００１８】
なお、挟持片１の端面１７が同一平面１８に含まれるように加工されていない場合でも、図２、及び図３において想像線で示すように、挟持片１の一対による締結状態で双方の外端縁１５が同一平面１６に包含されるように加工されており、第一鉄筋Ｔ１の外周の一部がその同一平面１６から突出するようになっていてもよい。その場合でも、同一平面１６から突出した第一鉄筋の外周の一部を、この鉄筋固定具が使用される構造物の外表面側に向けて配置することにより、厳密なかぶり寸法を同様に確保できる。
【００１９】
第二湾曲部１３の第二軸線Ｘ２は第一湾曲部１２の第一軸線Ｘ１と直交している。
こうすると、第二鉄筋Ｔ２として端部に曲がりのない直線状の部材を使用して第一鉄筋Ｔ１と第二鉄筋Ｔ２を直交させることができる。そのため、第一鉄筋Ｔ１と第二鉄筋Ｔ２の相対位置の調整や、各々の長さ調節を更に容易に行うことができる。
【００２０】
第二湾曲部１３はその内端で第一湾曲部１２に到達しており、第二鉄筋Ｔ２が第一鉄筋Ｔ１の側面に突き合わせ状態で固定されている。
こうすると、第二鉄筋Ｔ２の端部にかかる力は、挟持片１と第二鉄筋Ｔ２の端面とで支持されることになるので、第二鉄筋Ｔ２の端部を第一鉄筋Ｔ１から離して挟持する場合と比較して、挟持片１にかかる負担を低減することができる。そして、挟持片１の破損を防止できる。
【００２１】
締着具２はボルト２１で、一対の挟持片１の一方の挿通孔１４にはボルト２１が螺合するネジ１９が切られている。
こうすると、締着具２を挟持片１に対して回動させることで挟持片１の間隔を容易に調整でき、またボルト２１と協働するナットを不要として部品点数を減らすことができる。
なお、締着具２は、挟持片１を締結できるものであればその形状に制限はなく、使用される状況に応じて、六角ボルトやその他の形状のものを適宜使用するようにしてもよい。
【００２２】
挟持面１１は、第一湾曲部１２、第二湾曲部１３及び挿通孔１４が形成されていない部分に突起２２を有している。この突起２２は局所的なものでも、また、線状に連続するものでもよい。
こうすると、挟持片１同志を、対向する挟持片１の挟持面１１に突起２２が圧接するまで締結させ、突起２２を支点として挟持片１を撓ませることにより、その反力を利用して第一及び第二鉄筋Ｔ１、Ｔ２を締め付ける力を高めることができる。
なお、突起２２は、図４に示すように挟持片１双方の挟持面１１に形成してもよいが、挟持片１の一方にだけ形成することが好ましい。そうすると、両挟持片１の挟持面１１に形成された双方の突起２２ａ、２２ｂを突き合わせるよりも、挟持片１の間隔を狭めることができるので、第一及び第二鉄筋Ｔ１、Ｔ２を締め付ける力をより高めることができる。
【００２３】
【発明の効果】
本発明にかかるに鉄筋固定具によれば、第一鉄筋及び第二鉄筋の配置される方向が異なっていても、第二鉄筋の端部を第一鉄筋の延長方向と平行になるまで大きく折曲する必要がない。そのため、第一鉄筋と第二鉄筋の相対位置の調整や、各々の長さ調節を容易に行うことができ、施工効率を向上させることができる。
【００２４】
請求項２又は３によれば、挟持片の一部が第一鉄筋よりも構造物の外表面に近接した状態になることを防止し、厳密なかぶり寸法を確保できる。
【００２５】
請求項４によれば、第二鉄筋として端部に曲がりのない直線状の部材を使用して第一鉄筋と第二鉄筋を直交させることができる。そのため、第一鉄筋と第二鉄筋の相対位置の調整や、各々の長さ調節を更に容易に行うことができる。
【００２６】
請求項５によれば、第二鉄筋の端部にかかる力は、挟持片と第二鉄筋の端面とで支持されることになるので、第二鉄筋の端部を第一鉄筋から離して挟持する場合と比較して、挟持片にかかる負担を低減することができる。そして、挟持片の破損を防止できる。
【００２７】
請求項６によれば、締着具を挟持片に対して回動させることで挟持片の間隔を容易に調整でき、またボルトと協働するナットを不要として部品点数を減らすことができる。
【００２８】
請求項７によれば、第一及び第二鉄筋を締め付ける力を高めることができる。
【００２９】
請求項８によれば、第一及び第二鉄筋を締め付ける力をより高めることができる。
【図面の簡単な説明】
【図１】本発明にかかる鉄筋固定具の具体例を示す斜面図である。
【図２】図１におけるＡ−Ａ矢視線に沿った断面図である。
【図３】図１におけるＢ−Ｂ矢視線に沿った断面図である。
【図４】突起の他の形態を示す、図１におけるＢ−Ｂ矢視線に沿った断面図である。
【図５】従来の鉄筋固定具を示す斜面図である。
【符号の説明】
１　　挟持片
２　　締着具
１１　挟持面
１２　第一湾曲部
１３　第二湾曲部
１４　挿通孔
１５　端縁部
１６、１８　同一平面
１７　端面
１９　ねじ
２１　ボルト
２２　突起
Ｔ１　　第一鉄筋
Ｔ２　　第二鉄筋
Ｘ１　　第一軸線
Ｘ２　　第二軸線
【図１】
2004019328.tif 000003
【図２】
2004019328.tif 000004
【図３】
2004019328.tif 000005
【図４】
2004019328.tif 000006
【図５】
2004019328.tif 000007